【手続補正書】
【提出日】平成15年12月17日(2003.12.17)
【手続補正１】
【補正対象書類名】明細書
【補正対象項目名】特許請求の範囲
【補正方法】変更
【補正の内容】
【特許請求の範囲】
【請求項１】
上位装置に対して着脱自在に接続され、前記上位装置によってデータを読み出されるとともにデータが書込まれるカード型記憶媒体であって、データを格納する第１の不揮発性記憶領域と、前記上位装置によって入力されたデータを一時的に格納する第２の不揮発性記憶領域と、前記上位装置によって前記第２の不揮発性記憶領域へのデータ格納が完了した時に、前記第２の不揮発性記憶領域に格納されているデータを前記第１の記憶領域に書込む書込手段とを備えたことを特徴とするカード型記憶媒体。
【請求項２】
前記書込手段は、電源の投入を受けて起動した時にも、前記第２の不揮発性記憶領域に格納されているデータを前記第１の不揮発性記憶領域に書込むことを特徴とする請求項１記載のカード型記憶媒体。
【請求項３】
前記上位装置によって入力されたデータが前記第２の不揮発性記憶領域に格納され終わった時点で、前記上位装置に対してデータ格納完了を通知するデータ格納完了通知手段を、更に備えるとともに、前記書込手段は、このデータ格納完了通知手段によって前記上位装置に対してデータ格納完了が通知された後で、前記第２の不揮発性記憶領域に格納されているデータを前記第１の不揮発性記憶領域に書込むことを特徴とする請求項１記載のカード型記憶媒体。
【請求項４】
前記第１の不揮発性記憶領域及び前記第２の不揮発性記憶領域は、同一の不揮発性メモリ上に構築されていることを特徴とする請求項１記載のカード型記憶媒体。
【請求項５】
前記第１の不揮発性記憶領域及び前記第２の不揮発性記憶領域は、夫々多数のセクタに分割されており、前記書込手段は、前記第２の不揮発性記憶領域の各セクタ毎に、そのセクタに格納されているデータを前記第１の不揮発性記憶領域の何れかのセクタに書込むことを特徴とする請求項１記載のカード型記憶媒体。
【請求項６】
前記第２の不揮発性記憶領域の各セクタ毎に、そのセクタに格納されているデータの前記第１の不揮発性記憶領域への書込が完了しているか否かを識別する識別手段を、更に備えるとともに、前記書込手段は、そこに格納されているデータの前記第１の不揮発性記憶領域への書込が完了していない事が前記識別手段によって識別されているセクタに関してのみ、そこに格納されているデータを前記第１の不揮発性記憶領域の何れかのセクタに書
込むことを特徴とする請求項５記載のカード型記憶媒体。
【請求項７】
前記第１の不揮発性記憶領域に格納されているデータは複数のファイルを構成しているとともに、一部のファイルに関してのみ二重化されていることを特徴とする請求項１記載のカード型記憶媒体。
【請求項８】
前記書込手段による或るセクタに対するデータの書込が可能であるか不可能であるかを判定する判定手段と、前記判定手段によって前記セクタに対するデータの書込が不可能であると判定された時に、前記第１の不揮発性記憶領域内の何れかの未使用のセクタを交替セクタとして特定し、前記書込手段に対して前記データを前記交替セクタに書込ませる交替セクタ割付手段とを更に備えることを特徴とする請求項５記載のカード型記憶媒体。
【請求項９】
前記第１の不揮発性記憶領域内における未使用のセクタを管理する未使用セクタ管理手段を更に備えるとともに、前記交替セクタ割付手段は、前記未使用セクタ管理手段によって管理されている未使用のセクタの中の一つを前記交替セクタとして特定することを特徴とする請求項８記載のカード型記憶媒体。
【請求項１０】
前記第１の不揮発性記憶領域内の特定位置に存するセクタが予め交替セクタ用として確保されているとともに、前記交替セクタ割付手段は、前記交替セクタ用に確保されているセクタの中の一つを前記交替セクタとして特定することを特徴とする請求項８記載のカード型記憶媒体。
【請求項１１】
前記交替セクタ割付手段は、前記判定手段によって前記データの書込が不可能であると判定された使用不可能セクタに対する前記交替セクタの対応関係を示す対応表を有することを特徴とする請求項８記載のカード型記憶媒体。
【請求項１２】
前記未使用セクタ管理手段は、前記第１の不揮発性記憶領域内の各セクタ毎に用意され且つ対応するセクタが使用中であるか未使用中であるか使用不可であるかを示す状態表示領域を有することを特徴とする請求項９記載のカード型記憶媒体。
【請求項１３】
前記第１の不揮発性記憶領域内の各セクタ毎に、そのセクタの直前のセクタのポインタを示す第１ポインタ表示領域及び直後のセクタのポインタを示す第２ポインタ表示領域が備えられるとともに、前記交替セクタ割付手段は、使用不可能セクタに対する交替セクタを特定する際には、使用不可能セクタの前記状態表示領域が使用不可を示すように変更し、使用不可能セクタの第１ポインタ表示領域によってポインタが示されるセクタの第２ポインタ表示領域に交替セクタのポイントを表示させ、使用不可能セクタの第２ポインタ表示領域によってポインタが示されるセクタの第１ポインタ表示領域に交替セクタのポイントを表示させることを特徴とする請求項１２記載のカード型記憶媒体。
【請求項１４】
前記第１の不揮発性記憶領域内の各セクタ毎に、そのセクタに対するデータ書込回数の累計を表示する書込回数表示領域が備えられるとともに、前記判定手段は、前記書込回数表示領域に表示されたデータ書込回数の累計が所定回数以上となっているセクタを、使用不可能セクタであると判定することを特徴とする請求項８記載のカード型記憶媒体。
【請求項１５】
前記書込手段は、或るセクタに対するデータ書込処理に先立って、当該セクタに対して消去処理を実行するとともに、前記判定手段は、或るセクタに対するデータ消去完了までに要する時間が所定時間以上となる場合に、当該セクタが使用不可能であると判定することを特徴とする請求項８記載のカード型記憶媒体。
【請求項１６】
前記書込手段は、或るセクタに対するデータ書込処理に先立って、当該セクタに対して
消去処理を実行するとともに、前記判定手段は、或るセクタに対するデータ消去完了までに要する前記書込手段によるデータ消去処理回数が所定回数以上となる場合に、当該セクタが使用不可能であると判定することを特徴とする請求項８記載のカード型記憶媒体。
【請求項１７】
前記判定手段は、或るセクタに対するデータ書込完了までに要する前記書込手段によるデータ書込処理回数が所定回数以上となる場合に、当該セクタが使用不可能であると判定することを特徴とする請求項８記載のカード型記憶媒体。
【請求項１８】
第一の記憶領域と、
第二の記憶領域と、
入力された情報の前記第一及び第二の記憶領域への情報の書込を制御する書込手段とを備え、
前記書込手段は、まず、前記第一の記憶領域へ前記入力された情報を書き込み、前記第一の記憶領域への書き込みが完了した後、前記第一の記憶領域から前記第二の記憶領域へ前記第一の記憶領域に書き込まれた情報を書き込むように動作することを特徴とする、情報記憶媒体。
【請求項１９】
第一の記憶領域へ入力された情報を書き込み、
前記入力された情報が前記第一の記憶領域に書き込まれたか否かを判別し、
前記第一の記憶領域への情報書込が完了したら、前記第一の記憶領域に書き込まれた情報を、前記第一の記憶領域とは異なる第二の記憶領域に書き込むことを特徴とする、記憶媒体への情報書込方法。